(57)【特許請求の範囲】
【請求項１】
複数のチャンネルを有する放送信号を受信する受信手段と、
前記受信手段により受信されるチャンネルの映像を表示する表示手段と、
チャンネルの切換操作が行われると、前記受信手段で受信中のチャンネルから前記切換操作に応じたチャンネルに切り換えるチャンネル切換手段と、
番組表を取得する取得手段と、
前記チャンネルの切換操作が所定時間内に予め設定された回数行われた場合、前記受信手段により受信中のチャンネルの映像を前記表示手段に表示する処理を停止し、最新の前記切換操作による切り換え先のチャンネルに関する前記番組表を前記表示手段に表示する制御手段と、
を備える放送受信装置。
【請求項２】
請求項１に記載の放送受信装置において、
前記制御手段は、
前記チャンネルの切換操作が前記所定時間内に予め設定された回数行われた場合、前記番組表を表示するように前記表示手段を制御するとともに、新たなチャンネル切換操作に応じて前記番組表をチャンネル毎に切り換えて表示し、当該チャンネル毎の番組表の切換処理中に最新のチャンネル切換操作が行われてから新たなチャンネル切換操作が行われずに所定期間が経過した場合、表示されている番組表に対応するチャンネルの映像を前記表示手段に表示する、
ことを特徴とする放送受信装置。
【請求項３】
放送受信装置における表示制御方法であって、
前記放送受信装置が、チャンネルの切換操作が所定時間内に予め設定された回数行われた場合、受信中のチャンネルの映像を表示する処理を停止し、最新の前記切換操作による切り換え先のチャンネルに関する番組表を表示する
ことを特徴とする表示制御方法。
【発明の詳細な説明】
【技術分野】
【０００１】
本発明は、地上デジタル放送が受信できる放送受信装置に関し、より詳細には、放送波またはインターネットから、ＥＰＧ（Electric Program Guide、電子番組表）を取得および格納する機能を備え、放送受信装置のチャンネル選局処理中における、ユーザからの操作および／または放送波の受信状態に応じて、ＥＰＧ画面をその表示部に表示することを特徴とする放送受信装置および表示制御方法に関する。
【背景技術】
【０００２】
地上デジタル放送を視聴している受信装置においてチャンネルを切り換える場合、チャンネルを切り換えてから、画面に切り換え先のチャンネルの映像が表示されるまでに、最短でも２、３秒を要し、切り換えとほぼ同時に映像が表示されていた従来の地上アナログ放送に比べて、大幅に時間がかかるという問題がある。その理由は、地上デジタル放送におけるチャンネル切り換え時の処理は、アナログ放送とは異なり、以下のような複雑な処理を要するためである。
・放送波に同期し安定した信号を取得する処理
・受信した信号を同期再生する処理
・誤り訂正の処理
・放送ＴＳ（Transport Stream）の複号処理
・映像(音声)のデコード処理
・画面出力(音声出力)
【０００３】
また、地上デジタル放送では、視聴中に電波伝搬状態が悪化し放送波が受信できなくなった場合、放送受信装置による映像のデコード処理が停止してしまう。このとき、放送受信装置の画面は、デコード処理が停止する直前に表示していた映像が静止したままの、または、ブルースクリーンの状態になり、かつ、音声は途切れ途切れの、または、無音の状態になる。この状態はユーザにとっては、見たい番組が視聴できないばかりか、放送受信装置が機能していない状態であり、非常に使い勝手が悪く不便である。
【０００４】
このような、見たい番組が視聴できない状態の他の例として、切り換え先のチャンネルが、番組ではなくコマーシャル（ＣＭ）を放送している場合がある。この場合にユーザに不便さを感じさせないために、従来技術として、切り換え先のチャンネルがＣＭ放送中のときは、その切り換え先のチャンネルで現在放送中の番組情報を取得し、画面に表示する技法が提案されている（特許文献１を参照されたい）。
【特許文献１】特開２００２−５７９５６号公報
【発明の開示】
【発明が解決しようとする課題】
【０００５】
地上デジタル放送の場合、一般にザッピングと呼ばれる頻繁なチャンネル切り換え（ここでは、ザッピングとは、ユーザが映像により番組内容の確認をしながら、短時間のうちにチャンネルを頻繁に切り換える動作のことを指し、映像が画面に表示される前にチャンネル切り換える動作とは区別するものとする。）を行おうとすると、上述したようにチャンネル切り換え処理に時間がかかるため、ユーザの意図するようなチャンネル切り換え、すなわち、画面に表示されるチャンネル映像の遷移がスムーズに行われず、ユーザにとって操作性が悪く不便である。チャンネルの切り換え処理に２秒、ユーザが番組の内容を把握するのに３〜５秒かかるとすると、ザッピングを行うのにかかる時間は、１チャンネル当たり５〜７秒となる。このような条件では、アナログ放送を受信する場合のような、素早いチャンネル切り換えは行えない。
【０００６】
また、電波伝搬状態が悪い環境で地上デジタル放送を視聴する場合、放送波が正しく受信できないため、チャンネル切り換えに要する時間が、正常に放送波を受信できる通常の場合と比べ長くなり、ユーザの操作性はますます悪くなる。さらに、地上デジタル放送を視聴できる携帯端末で視聴している場合には、放送波を受信できないビルの影や地下、建物の中へユーザが移動してしまうことも考えられる。特許文献１による技法は、放送波が受信できている状態においてユーザが見たい番組を視聴できない不便を解決するための方法を提供するものであり、受信装置が放送波を受信できなくなり映像が静止した場合、または、受信装置のチャンネル切り換え処理が遅い場合において、ユーザに番組を視聴できない不便を感じさせないための方法を提供するものではない。
【０００７】
よって、本発明の目的は、地上デジタル放送の視聴時に、ユーザによるザッピング、または、ユーザの移動もしくは電波伝搬環境の変化による放送波の受信停止といった、放送受信装置によるチャンネル切り換え処理の遅れまたは停止により、番組映像が表示されない場合でも、ユーザに不便さを感じさせることのない技法（装置および方法）を提供することである。
【課題を解決するための手段】
【０００８】
上述した諸課題を解決すべく、本発明による放送受信装置は、（放送局から送信される）複数のチャンネルを有する放送信号（地上デジタル放送信号）を受信する受信手段と、前記受信手段により受信されるチャンネルの映像を表示する表示手段と、チャンネルの切換操作が行われると、前記受信手段で受信中のチャンネルから前記切換操作に応じたチャンネルに切り換えるチャンネル切換手段と、番組表を取得する取得手段と、前記チャンネルの切換操作が所定時間内に予め設定された回数行われた場合、前記受信手段により受信中のチャンネルの映像を前記表示手段に表示する処理を停止し、最新の前記切換操作による切り換え先のチャンネルに関する前記番組表を前記表示手段に表示する制御手段と、を備えることを特徴とする。
【０００９】
前記制御手段は、前記チャンネルの切換操作が前記所定時間内に予め設定された回数行われた場合、前記番組表を表示するように前記表示手段を制御するとともに、新たなチャンネル切換操作に応じて前記番組表をチャンネル毎に切り換えて表示し、当該チャンネル毎の番組表の切換処理中に最新のチャンネル切換操作が行われてから新たなチャンネル切換操作が行われずに所定期間が経過した場合、表示されている番組表に対応するチャンネルの映像を前記表示手段に表示することが好ましい。
【００１０】
また、本発明による表示制御方法は、放送受信装置における表示制御方法であって、前記放送受信装置が、チャンネルの切換操作が所定時間内に予め設定された回数行われた場合、受信中のチャンネルの映像を表示する処理を停止し、最新の前記切換操作による切り換え先のチャンネルに関する番組表を表示することを特徴とする。
【００１１】
前記制御手段は、前記番組表が前記表示手段に表示されてから、当該番組表上でフォーカス（選択対象としてカーソルまたは表示色変更、白黒反転などの強調表示で指示）されているチャンネルの放送信号が、前記受信手段によって受信可能となった場合、前記番組表の表示から、前記フォーカスされているチャンネルの映像の表示に切り換えるように前記表示手段を制御する、
ことが好適である。
【発明の効果】
【００１２】
このように、放送受信装置が、ユーザのチャンネル切り換え指示がザッピングと判定したタイミングでＥＰＧを画面に表示することで、チャンネル切り換えによってザッピング（切り換え）先の映像確認を実際に行うよりも、ユーザは、ザッピング先のチャンネルの番組表の表示によって、迅速かつ確実に番組内容の確認・把握ができるようになる。
【発明を実施するための最良の形態】
【００１３】
以降、諸図面を参照しながら、本発明による放送受信装置の実施態様を詳細に説明する。図１に、本発明による放送受信装置の機能ブロック図を示す。放送受信装置１００は、アンテナＡＮＴ１、ＡＮＴ２、チューナ部１０１、復調部１０２、音声デコーダ部１０３、映像デコーダ部１０４、画面制御部１０５、スピーカ１０６、表示部１０７、操作入力部１０８、電話送受信部１０９、制御部１１０、ＥＰＧ取得部１１１、ＥＰＧ格納部１１２、ザッピング検出部１１３、および計数部１１４を備える。アンテナＡＮＴ１は、地上デジタル放送の信号（ＲＦ信号）を受信し、受信されたＲＦ信号は、制御部１１０からの周波数（チャンネル）指定命令に基づいて、チューナ部１０１でチューニング（周波数変換）される。なお、制御部１１０からのチャンネル指定命令は、操作入力部１０８を用いてユーザが指定したチャンネルに基づく。チューナ部１０１によってチューニングされたＲＦ信号は、復調部１０２によってＭＰＥＧ形式のＴＳ信号に復調される。また、復調部１０２は、復調したＴＳ信号内のパケットＩＤに基づき、音声パケット、映像パケット、データ放送パケットを検出し、音声パケットを音声デコーダ部１０３に、映像パケットを映像デコーダ部１０４に、データ放送パケットを画面制御部１０５に出力する。音声デコーダ部１０３は、入力された音声パケット内の音声データをデコードし、スピーカ１０６に出力する。映像デコーダ部１０４は、入力された映像パケット内の映像データをデコードし、画面制御部１０５に出力する。画面制御部１０５は、入力された映像データおよびデータ放送パケットに基き画面データを作成して、表示部１０７に映像またはＥＰＧを表示するように制御する。
【００１４】
ザッピング検出部１１３は、操作入力部１０８におけるユーザの入力操作と、制御部１１０から送られるチャンネル指定命令（選局処理の進捗）とに基づき、ザッピングか否かの判定を行う（判定基準、判定方法については後述する）。ＥＰＧ取得部１１１は、放送波またはインターネットからＥＰＧを取得し、ＥＰＧ格納部（メモリ）１１２は、ＥＰＧ取得部１１１によって取得されたＥＰＧを格納する。計数部１１４は、操作入力部１０８における、ユーザからのチャンネルの切り換え要求の回数を計数する。アンテナＡＮＴ２は、無線通信に用いられ、音声通話、メール送受信、およびインターネットからのデータダウンロード等におけるＲＦ信号を送受信する。また、電話送受信部１０９は、音声通話時の制御を行う。
【００１５】
第１の実施例
第１の実施例では、放送受信装置１００は、ユーザによるザッピングを検出すると、表示部１０７の表示を番組映像からＥＰＧに切り換え、その後ユーザによるザッピングには、番組映像ではなくチャンネル毎のＥＰＧ表示を切り換えることで対応する。本実施例を、フローチャートおよび図を用いて以下に説明する。図２は、ザッピングを検出した場合の、放送受信装置１００によるチャンネル切り換え処理のフローチャートである。まず、制御部１１０は、操作入力部１０８におけるユーザの入力操作（チャンネル切り換え命令、すなわち選局命令）を検出すると（ステップＳ１１）、ユーザが選局したチャンネルに割り当てられた周波数にチューニングするように、チューナ部１０１に指示し、選局処理を開始する（ステップＳ１２）。制御部１１０は、操作入力部１０８においてユーザからの選局命令がザッピングであると判定されない限りは、選局処理を継続する（ステップＳ１２〜Ｓ１５）。選局処理とは、上述の放送受信装置１００の機能ブロック図にて説明したような、チューナ部１０１によるチャンネル信号のチューニングから、音声デコーダ部１０３による音声データのスピーカ１０６への出力、および、映像デコーダ部１０４による映像データの画面制御部１０５への出力までの、一連の処理を言う。
【００１６】
ザッピング検出部１１３は、該選局命令がザッピングによるものか否かを判定する（ステップＳ１３）。なお、選局命令がザッピングによるものか否かの判定は、計数部１１４と図示しない時計手段に基づき、所定の期間内に所定回数以上の選局が行われていると判定された時、ザッピングによるものと判定する。ザッピング検出部１１３によってザッピングによるものと判定されない場合は、ステップＳ１４へ進み、選局処理を継続する。その後、画面制御部１０５は、表示部１０７に出力する画面データを作成し、表示部１０７に映像またはＥＰＧを表示するように制御する（ステップＳ１６）。同時に、計数部１１４は、操作入力部１０８におけるユーザからの選局命令の発生回数を計数し、図示しない格納手段（メモリなど）に格納する。
【００１７】
ステップＳ１３にて、ザッピング検出部１１３によってザッピングと判定された場合は、ステップＳ１７へ進み、制御部１１０は、現行の選局処理を停止する。なお、選局処理における映像表示処理のみを停止し、チューナ部１０１における選局処理（チューニング）は継続させてもよい。このようにすれば、後述するような、ザッピングモードがＯＦＦと判定されたときのＥＰＧ表示から番組映像への切り換え処理を、迅速に行うことができる。ここで、ザッピング検出部１１３によるザッピングか否かの判定方法について説明する。操作入力部１０８におけるユーザからの各選局命令に対して、計時手段（図示せず）と計数部１１４によって、チャンネル切り換え頻度、すなわち、所定の期間における選局命令の入力回数が計数される。ステップＳ１３にて、ザッピング検出部１１３によって、所定の期間内に、設定した所定の回数以上の選局命令が計数された場合、ザッピングと判定する。この所定の期間および所定の回数は、放送受信装置１００の図示しない演算部（ＣＰＵ等）の処理能力、または、ユーザの設定値に基づいて決定され（例えば、５秒間に２回など）、格納手段に格納されている。
【００１８】
制御部１１０は、ステップＳ１７で現行の選局処理を停止した後、最新の選局命令および時計手段（図示せず）から取得した現在時刻に基づき、ＥＰＧ格納部１１２からＥＰＧデータを取得する（ステップＳ１８）。その後、制御部１１０は画面制御部１０５を制御して、表示部１０７にＥＰＧを表示させる（ステップＳ１９）。図１１は、このとき表示部１０７に表示されるＥＰＧの一例であり、単一のチャンネルにおける各時間帯別の番組一覧が示されている。
【００１９】
また、図３に、ユーザによる選局命令に応じて、放送受信装置１００がザッピングを検出してからザッピングが停止したと判定するまでの、画面に表示する表示モード（番組映像またはＥＰＧ）の時間遷移図を示す。図３の例では、ユーザからの３回目のチャンネル切り換え指示、すなわち、表示部１０７の映像が３回切り換わった時点で、ザッピング検出部１１３によってザッピングと判定され（図中のザッピングモードＯＮの時点）、図１１のような、単一のチャンネルが放送する番組一覧のＥＰＧが、表示部１０７に表示される（図２のステップＳ１７〜Ｓ１９）。その後、ユーザによる操作入力部１０８におけるチャンネル切り換え（選局命令）に基づき、制御部１１０は、各チャンネルの番組映像ではなく、各チャンネルのＥＰＧを切り換えていく（図３の「ＥＰＧ表示」）。操作入力部１０８によって検出されるユーザからの選局命令の回数が減ると（図３のザッピングモードＯＦＦの時点）、制御部１１０は、表示部１０７の表示をＥＰＧ表示から映像表示に切り換える。このとき表示部１０７に表示されるチャンネルは、ユーザによる最新の選局命令に対応したＥＰＧ画面が表示されるチャンネル（図３では、９回目の選局命令に対応するチャンネル）である。以後は、通常の選局処理（図２のステップＳ１２〜Ｓ１５）を続ける。なお、ザッピングモードＯＮであるときにも、選局命令に応じた選局処理をバックグランドで行ない、次の選局命令が入力される前に選局処理が終了した時点で、ＥＰＧ表示から映像表示に切り換える（すなわちザッピングモードＯＦＦ）ようにしても良い。
【００２０】
このように、ユーザによる頻繁なチャンネル切り換え指示に対して、選局処理に時間のかかる番組映像ではなく、予め放送受信装置１００内に格納されているために、番組映像と比べ早く表示できるＥＰＧを表示することで、放送されている番組内容を即時に把握したいユーザに、不便さを感じさせないようにすることができる。
【００２１】
第２の実施例
第２の実施例では、放送受信装置１００による選局処理中に、ユーザの移動等によって放送波が受信できなくなった場合（即ち、放送圏外に放送受信装置がある場合）、選局処理を停止し、（現時間帯の全てのチャンネルの）番組表を表示部１０７に表示する。本実施例を、フローチャートおよび図を用いて以下に説明する。図４は、放送圏外にある場合の、放送受信装置１００によるチャンネル切り換え処理のフローチャート、図５は、そのときの放送受信装置１００の表示部１０７における画面遷移を示す。まず、制御部１１０は、表示部１０７に番組映像が表示されているときに（図５のＤ１１）、操作入力部１０８におけるユーザの入力操作（選局命令）を検出すると（ステップＫ１１）、ユーザが選局したチャンネルに割り当てられた周波数にチューニングするように、チューナ部１０１に指示し、選局処理を開始する（ステップＫ１２）。このとき、表示部１０７には、例えば図５のＤ１２に示す「選局中．．．」といった、選局処理中であることを示す旨が表示されている。制御部１１０は、放送の受信エリア内にいる限り（放送波が受信できている限り）は、各選局命令に対する選局処理を継続する（ステップＫ１２〜Ｋ１５）。
【００２２】
制御部１１０は、選局処理中に、ステップＫ１３にて、放送受信装置１００が放送波受信エリア内にあるか否か、すなわち、選局したチャンネルの放送波の同期がチューナ部１０１によって取れるか否かを判定する。受信エリア内にあると判定された場合は、上述したような選局処理が継続される（ステップＫ１４）。選局処理が終了すると、表示部１０７への番組映像の表示（例えば、図５のＤ１４）が行われる（ステップＫ１６）。受信エリア内にないと判定された場合は、制御部１１０は、現行の選局処理を停止し、最新の選局命令および時計手段から取得した現在時刻に基づき、ＥＰＧ格納部１１２からＥＰＧデータを取得する（ステップＫ１７、Ｋ１８）。その後、制御部１１０は画面制御部１０５を制御して、表示部１０７にＥＰＧを表示させる（図５のＤ１３、ステップＫ１９）。なお、選局処理における映像表示処理のみを停止し、チューナ部１０１における選局処理（チューニング）は継続させてもよい。このようにすれば、後述するような、受信エリア内に入った場合のＥＰＧ表示から番組映像への切り換え処理を、迅速に行うことができる。図１０は、このとき表示部１０７に表示されるＥＰＧの一例であり、ある時間帯において放送される各チャンネルの番組一覧表が示されている。ここで表示部１０７に表示されるＥＰＧは、図１１の、単一のチャンネルにおける各時間帯別の番組一覧でもよい。図１１のＥＰＧが表示された場合、ユーザは操作入力部１０８を操作して、チャンネルごとの番組表を切り換えることもできる。
【００２３】
ここで、ステップＫ１３の、受信エリア内にあるか否かの判定は、映像デコーダ部１０４による映像のデコード、または、音声デコーダ部１０３による音声のデコードができなくなった場合など、選局処理の過程で各部材が正しく処理できなくなった場合を条件にしてもよい。
【００２４】
上述したように、本実施例では、放送受信装置が、選局処理中に、放送波が受信できない(映像、または、音声を出力できない)と判定したタイミングでＥＰＧを表示することで、ユーザは、切り換え先のチャンネルがどのような番組を放送しているかということを、迅速に確認することができる。
【００２５】
第３の実施例
第３の実施例では、第２の実施例において放送波受信圏外のため表示部１０７にＥＰＧが表示されている場合に、現在選択しているチャンネルの放送波が、放送受信装置１００によって受信可能になると、表示部１０７の表示を、ＥＰＧ表示から映像表示に切り換える。本実施例を、フローチャートおよび図を用いて以下に説明する。図６に、本実施例における放送受信装置１００によるチャンネル切り換え処理のフローチャート、図７に、そのときの放送受信装置１００の表示部１０７における画面遷移を示す。まず、制御部１１０は、ステップＰ１１において、操作入力部１０８におけるユーザの入力操作を、表示部１０７に番組映像が表示されている（表示モードが「映像」となっている）場合には、チャンネルの選局命令として処理し、表示部１０７にＥＰＧが表示されている（表示モードが「ＥＰＧ」となっている）場合には、ＥＰＧ画面上でのチャンネル選択処理（例えば、ＥＰＧ画面上において番組を選択するためのフォーカス、またはカーソルを番組から番組へ遷移させる処理）として処理する。
【００２６】
ここでは、ステップＰ１１にて、表示部１０７にはＥＰＧが表示されている、すなわち、表示モードが「ＥＰＧ」となっているものとする（図７のＤ２３）。制御部１１０は、操作入力部１０８におけるユーザの入力操作（選局命令）を検出すると（ステップＰ１１）、表示部１０７における表示モードの判定を行う（ステップＰ１２）。表示モードが「映像」の場合、選局処理を開始する（ステップＰ１３〜Ｐ１６）。この選局処理は、第２の実施例における選局処理ステップＫ１２〜Ｋ１６と同様のため、説明を省略する。ステップＰ１２にて表示モードが「ＥＰＧ」であると判定された場合、ＥＰＧ画面上においてフォーカスされている（図７のＤ２３においては「ワイドショー」がフォーカスされている）、またはカーソルによって選択されている番組が放送されているチャンネルの、受信エリア内か否かを判定する（ステップＰ１８）。判定方法は、第２の実施例におけるステップＫ１３での処理と同様である。受信エリア外と判定された場合、何もせずに処理を終了する。受信エリア内と判定された場合、表示モードを「映像」にして（ステップＰ１９）、ステップＰ１３〜Ｐ１６の選局処理を開始する（上記と同様の理由で説明は省略する）。選局処理中に、ステップＰ１４にて、放送受信装置１００が受信エリア内にあると判定された場合、制御部１１０は、図７のＤ２３のＥＰＧ表示から、同図Ｄ２４の番組映像表示へと表示部１０７の表示を切り換えるように制御する。選局処理が終了すると、表示部１０７への番組映像の表示を行う（ステップＰ１７）。
【００２７】
このように、放送受信装置１００が放送波を受信できるようになったタイミングで、ＥＰＧ表示から番組映像表示に切り換わるため、ユーザは、選択したチャンネルが視聴できる状態になったことを即時に確認できるとともに、不便さを感じることなく迅速に番組の内容を把握することができる。
【００２８】
第４の実施例
第４の実施例では、放送受信装置１００は、選局処理中に、操作入力部１０８におけるユーザからの新たなチャンネル切り換え命令（選局命令）を検出すると、該チャンネル切り換え命令に応じた新たな選局処理は行わずに、ＥＰＧを表示部１０７に表示する。本実施例を、フローチャートおよび図を用いて以下に説明する。図８に、本実施例における、放送受信装置１００によるチャンネル切り換え処理のフローチャート、図９に、そのときの表示部１０７における表示画面の遷移を示す。まず、制御部１１０は、操作入力部１０８におけるユーザからの選局命令を検出すると（ステップＴ１１）、ユーザが選局したチャンネルに割り当てられた周波数にチューニングするように、チューナ部１０１に指示し、選局処理を開始する（ステップＴ１２）。制御部１１０は、操作入力部１０８においてユーザからの新たな選局命令が検出されない限り、選局処理を継続する（ステップＴ１２〜Ｔ１５）。
【００２９】
選局処理中には、表示部１０７には、例えば図９のＤ３２の「選局中．．．」といった、選局処理中であることを示す旨が表示される。この状態において、制御部１１０によって、ユーザから新たな選局命令を検出したか否か、すなわち、操作入力部１０８におけるユーザからの選局命令を検出したか否かが判定される（ステップＴ１３）。制御部１１０によって新たな選局命令が検出されない場合は、ステップＴ１４へ進み、選局処理を継続する。選局処理が終了すると、画面制御部１０５によって画面データが作成され、表示部１０７が映像（例えば、図９のＤ３４）を表示するように制御されるとともに、音声データがある場合は、スピーカから音声が出力される（ステップＴ１６）。
【００３０】
ステップＴ１３にて、制御部１１０によって新たな選局命令が検出された場合は、ステップＴ１７へ進み、制御部１１０は、現行の選局処理を停止する。なお、選局処理における映像表示処理のみを停止し、チューナ部１０１における選局処理（チューニング）は継続させてもよい。このようにすれば、ＥＰＧ表示から番組映像への切り換え処理を、迅速に行うことができる。その後、制御部１１０は、最新の選局命令および時計手段（図示せず）から取得した現在時刻に基づき、ＥＰＧ格納部１１２からＥＰＧデータを取得し（ステップＴ１８）、画面制御部１０５を制御して、表示部１０７にＥＰＧを表示させる（図９のＤ３３、ステップＴ１９）。図１０、１１は、このとき表示部１０７に表示されるＥＰＧの一例であり、それぞれ、単一のチャンネルにおける各時間帯別の番組一覧、ある時間帯における各チャンネル別の番組一覧が示されている。
【００３１】
上述したように、放送受信装置によるチャンネル切り換え処理が終了する前に、ユーザからチャンネル切り換え命令が生じた場合（この場合、受信装置によるチャンネル切り換えの処理が遅いため、画面には映像が表示されていない）に、画面にＥＰＧを表示することで、ユーザは、チャンネルを切り換えて映像確認を実際に行うよりも、切り換え先のチャンネルの番組表の表示によって、迅速かつ確実に番組内容の確認・把握ができるようになる。
【００３２】
第５の実施例
本発明による第５の実施例では、制御部１１０による選局処理中に、操作入力部１０８においてユーザによる選局命令がさらに要求されても、その選局命令が所定の間隔毎に連続するものであった場合は、放送受信装置１００は、第４の実施例のようにＥＰＧを表示せず、チャンネル切り換え処理を継続する。この所定の間隔は、放送受信装置１００の図示しない格納手段（メモリなど）に予め格納されており、計数部１１４によって、ユーザからのチャンネル切り換え要求の回数が計数される。制御部１１０は、この計数部１１４によって計数されたチャンネル切り換え要求の回数と、格納手段に格納された所定の間隔に基づき、表示部１０７にＥＰＧを表示するか否か、または、チャンネルの切り換え処理を継続するか否かを判定する。
【００３３】
例えば、現在表示されている番組映像がチャンネル番号１の番組映像であり、ユーザがチャンネル番号６の番組映像に切り換えたい場合、操作入力部（例えば選局ボタン）を、連続して５回押下げる場合が考えられる。この場合は、制御部１１０によって、チャンネルの切り換え処理を継続すると判定され、制御部１１０は、ＥＰＧを表示部１０７に表示しないように制御する。このようにすれば、選択したいチャンネルが明確にあって操作入力部１０８を操作しているユーザに対して、ＥＰＧを表示することで煩わしさを感じさせることがなく、操作性のよい放送受信装置を提供できる。
【００３４】
本発明によれば、放送受信装置が、チャンネル切り換えのタイミングまたは頻度に応じて、番組映像ではなくＥＰＧを画面に表示することで、ユーザは、切り換え先の映像確認を実際に行うよりも、次に放送する番組の内容や前後のチャンネルの内容を、迅速かつ確実に確認・把握ができるようになる。また、ＥＰＧの情報は、放送受信装置が放送波が受信できる時に、放送波またはインターネットから取得し、事前に該装置内に蓄積することが出来るので、放送波が受信できない環境においても、ＥＰＧを表示することができる。
【００３５】
上述したように、本発明の解決手段を装置として説明してきたが、本発明はこれらに実質的に相当する方法、プログラム、およびプログラムを記録した記憶媒体としても実現し得るものであり、本発明の範囲にはこれらも包含されるものと理解されたい。
【００３６】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各手段、各ステップなどに含まれる機能などは論理的に矛盾しないように再配置可能であり、複数の手段やステップなどを１つに組み合わせたり、あるいは分割したりすることが可能である。
【図面の簡単な説明】
【００３７】
【図１】本発明による放送受信装置のブロック図である。
【図２】本発明による放送受信装置がザッピングを検出した場合の、チャンネル切り換え処理のフローチャートである。
【図３】本発明による放送受信装置がザッピングを検出してからザッピングが停止したと判定するまでの、選局命令に応じた画面の表示モードの時間遷移図である。
【図４】本発明による放送受信装置が放送圏外にある場合の、チャンネル切り換え処理のフローチャートである。
【図５】本発明による放送受信装置が放送圏外にある場合の、放送受信装置の画面の遷移図である。
【図６】本発明による放送受信装置が放送圏外から放送圏内になった場合の、チャンネル切り換え処理のフローチャートである。
【図７】本発明による放送受信装置が放送圏外から放送圏内になった場合の、放送受信装置の画面の遷移図である。
【図８】本発明による放送受信装置が選局処理中に新たな選局命令を検出した場合の、チャンネル切り換え処理のフローチャートである。
【図９】本発明による放送受信装置が選局処理中に新たな選局命令を検出した場合の、放送受信装置の画面の遷移図である。
【図１０】ある時間帯において放送される各チャンネルの番組一覧を表示する、ＥＰＧの一例である。
【図１１】単一のチャンネルが放送する各時間帯における番組一覧を表示する、ＥＰＧの一例である。
【符号の説明】
【００３８】
１００  放送受信装置
１０１  チューナ部
１０２  復調部
１０３  音声デコーダ部
１０４  映像デコーダ部
１０５  画面制御部
１０６  スピーカ
１０７  表示部
１０８  操作入力部
１０９  電話送受信部
１１０  制御部
１１１  ＥＰＧ取得部
１１２  ＥＰＧ格納部
１１３  ザッピング検出部
１１４  計数部
ＡＮＴ１、ＡＮＴ２  アンテナ
Ｄ１１〜Ｄ１４、Ｄ２１〜Ｄ２４、Ｄ３１〜Ｄ３４  画面
【図１】
0005414970.tif 000002
【図２】
0005414970.tif 000003
【図３】
0005414970.tif 000004
【図４】
0005414970.tif 000005
【図５】
0005414970.tif 000006
【図６】
0005414970.tif 000007
【図７】
0005414970.tif 000008
【図８】
0005414970.tif 000009
【図９】
0005414970.tif 000010
【図１０】
0005414970.tif 000011
【図１１】
0005414970.tif 000012